(57)【要約】【課題】本発明は、光調節モード選択回路を採用し、安定な入力信号及びより高い信頼性を持つ出力信号を生じ、且つ回路の構造も簡単である放電ランプ駆動装置を提供する。【解決手段】本発明の放電ランプ駆動装置は、複数のランプを備えるランプ群を駆動するために用いられ、変換回路と、駆動切換回路と、変圧回路と、ＰＷＭコントローラーと、光調節モード選択回路と、を備える。前記変換回路は、受信した信号を直流信号に変換するために用いられる。前記光調節モード選択回路は、入力信号によって第一入力電圧又は第二入力電圧を選択するために用いられ、切換回路及び補償回路を備える。前記切換回路は、入力信号によって第一入力電圧又は第二入力電圧を選択するために用いられる。前記補償回路は、前記第一入力電圧又は第二入力電圧が光調節モード選択回路での電圧損失を補償し、且つ補償した後の第一入力電圧又は第二入力電圧を出力するために用いられる。【選択図】図４
2007200889.tif 000002
【特許請求の範囲】
【請求項１】
入力信号によって第一入力電圧又は第二入力電圧を選択するために用いられる光調節モード選択回路であって、
前記入力信号によって第一入力電圧又は第二入力電圧を選択するために用いられる切換回路と、
前記切換回路に接続され、前記第一入力電圧又は第二入力電圧の光調節モード選択回路での電圧損失を補償し、且つ補償した後の第一入力電圧又は第二入力電圧を出力するために用いられる補償回路と、
を備えることを特徴とする光調節モード選択回路。
【請求項２】
前記切換回路に接続され、前記入力信号を受け、且つ前記入力信号を安定な入力信号に変換して前記切換回路に出力するヒステリシス回路をさらに備えることを特徴とする請求項１に記載の光調節モード選択回路。
【請求項３】
前記ヒステリシス回路は、
電圧源と、
第一ピンと、前記入力信号に接続する第二ピンと、前記電圧源に接続する第三ピンと、接地する第四ピンと、前記ヒステリシス回路の出力端とする第五ピンとを備える比較器と、
前記電圧源と前記比較器の第一ピンとの間に接続された第一抵抗と、
前記比較器の第一ピンと接地電圧との間に接続された第二抵抗と、
前記比較器の第一ピンと第五ピンとの間に接続された第三抵抗と、
を備えることを特徴とする請求項２に記載の光調節モード選択回路。
【請求項４】
前記ヒステリシス回路は、前記比較器に印加した電圧が高すぎることを防止する過電圧保護ダイオードをさらに備え、その陽極は、前記比較器の第二ピンに接続され、その陰極は、電圧源に接続されることを特徴とする請求項３に記載の光調節モード選択回路。
【請求項５】
前記ヒステリシス回路は、前記入力信号を分圧する分圧抵抗をさらに備え、その一端がヒステリシス回路の入力端として入力信号を受信し、他端が比較器の第二ピンに接続されることを特徴とする請求項３に記載の光調節モード選択回路。
【請求項６】
前記切換回路は、
その陽極が前記第一入力電圧に接続し、その陰極が前記比較器の出力端に接続し、電流回流を防止することに用いられる絶縁ダイオードと、
入力端、第一出力端及び第二出力端を備え、前記入力端が前記ヒステリシス回路の出力端に接続され、前記第一出力端が前記第二入力電圧に接続され、前記第二出力端が接地されるデジタル・トランジスターと、
を備えることを特徴とする請求項１に記載の光調節モード選択回路。
【請求項７】
前記デジタル・トランジスターは、
その一端が前記デジタル・トランジスターの入力端とされる第五抵抗と、
前記第五抵抗の他端に接続し、そのコレクタは、該デジタル・トランジスターの第一出力端とされ、そのエミッタは、該デジタル・トランジスターの第二出力端とされる第一ＮＰＮトランジスターと、
前記第一ＮＰＮトランジスターのベースとエミッタとの間に接続される第六抵抗と、
を備えることを特徴とする請求項６に記載の光調節モード選択回路。
【請求項８】
前記補償回路は、
電圧源と、
そのエミッタが該補償回路の出力端とされるＰＮＰトランジスターと、
そのベースが前記第一入力電圧に接続され、そのエミッタが前記トランジスターのベースに接続され、且つそのコレクタが前記電圧源に接続される第二ＮＰＮトランジスターと、
そのベースが前記第二入力電圧に接続され、そのエミッタが前記ＰＮＰトランジスターのベースに接続され、且つそのコレクタが前記第二ＮＰＮトランジスターのコレクタに接続される第三ＮＰＮトランジスターと、
前記電圧源とＰＮＰトランジスターのエミッタとの間に接続されており、前記補償回路の出力を保護するために用いられる第七抵抗と、
前記ＰＮＰトランジスターのベースとコレクタとの間に接続されており、前記ＰＮＰトランジスターを保護するために用いられる限流抵抗と、
を備えることを特徴とする請求項１に記載の光調節モード選択回路。
【請求項９】
複数のランプを備えるランプ群を駆動するために用いられる放電ランプ駆動装置であって、
受信した信号を直流信号に変換するために用いられる変換回路と、
前記変換回路に接続されており、前記直流信号を交流信号に変換するために用いられる駆動切換回路と、
前記駆動切換回路と前記ランプ群との間に接続されており、前記交流信号を他の交流信号に変換するために用いられる変圧回路と、
前記駆動切換回路に接続されており、前記駆動切換回路の出力を制御するために用いられるＰＷＭコントローラーと、
前記ＰＷＭコントローラーに接続されており、入力信号によって第一入力電圧又は第二入力電圧を選択するために用いられる光調節モード選択回路とを備え、
そして、前記光調節モード選択回路は、前記入力信号によって第一入力電圧又は第二入力電圧を選択するために用いられる切換回路と、前記切換回路に接続され、前記第一入力電圧又は第二入力電圧が光調節モード選択回路での電圧損失を補償し、且つ補償した後の第一入力電圧又は第二入力電圧を出力するために用いられる補償回路とを備えることを特徴とする放電ランプ駆動装置。
【請求項１０】
前記ランプ群とＰＷＭコントローラーとの間に接続されており、該ランプ群を通して流れる電流をフィードバックするために用いられるフィードバック回路をさらに備えることを特徴とする請求項９に記載の放電ランプ駆動装置。
【請求項１１】
前記変圧回路とＰＷＭコントローラーとの間に接続されており、該ランプ群を通して流れる電流をフィードバックするために用いられるフィードバック回路をさらに備えることを特徴とする請求項９に記載の放電ランプ駆動装置。
【発明の詳細な説明】
【技術分野】
【０００１】
本発明は、放電ランプ駆動装置に関するものであり、特に光調節モード選択回路を備える放電ランプ駆動装置に関するものである。
【背景技術】
【０００２】
通常、放電ランプ（ｄｉｓｃｈａｒｇｅ  ｌａｍｐ）は、液晶表示装置（ｌｉｑｕｉｄ  ｃｒｙｓｔａｌ  ｄｉｓｐｌａｙ，ＬＣＤ）のパネルのバックライトとして用いられる。ＬＣＤの性能、特に輝度調節機能に対するユーザ需要が高まるに従って、放電ランプの光調節機能(dimming control functions)が発展してきた。一般的に、ユーザは、ＬＣＤを使う時、バックライトの光調節モードとして、一定の範囲で前もって設定した値に基づいてパネルのある特定の輝度を調節する内部光調節モードを採用することができるばかりでなく、ユーザの要求に従って人為的にパネルの輝度を調節する外部光調節モードも採用することができる。
【０００３】
図１は、従来の光調節モード選択回路の具体的な回路図であって、図１において、従来の光調節モード選択回路のみが示され、ほかのバックライトの関連する回路は省略されている。前記光調節モード選択回路は、電圧源Ｖｃｃと、第一入力電圧ＶＡと、第二入力電圧ＶＢと、複数の抵抗Ｒ１１、Ｒ２２、Ｒ３３、Ｒ４４、Ｒ５５、Ｒ６６、Ｒ７７と、複数のトランジスターＱ１１、Ｑ２２、Ｑ３３と、複数のダイオードＤ１１、Ｄ２２、Ｄ３３、Ｄ４４とを備える。
【０００４】
入力信号Ｖｉｎは、電圧源Ｖｃｃが抵抗Ｒ４４，Ｒ２２における分圧電圧の和より大きい（高い）電位レベルである場合、ダイオードＤ１１がターン・オフされ、トランジスターＱ２２、Ｑ３３がターン・オンされ、トランジスターＱ１１がターン・オフされ、これによって、第一入力電圧ＶＡは、ダイオードＤ３３を通じて出力する。入力信号Ｖｉｎは、電圧源Ｖｃｃが抵抗Ｒ４４，Ｒ２２における分圧電圧の和より小さい（低い）電位レベルである場合、ダイオードＤ１１がターン・オンされ、トランジスターＱ２２、Ｑ３３がターン・オフされ、トランジスターＱ１１がターン・オンされ、これによって、第二入力電圧ＶＢは、ダイオードＤ４４を通じて出力する。
【０００５】
従来の光調節モード選択回路は、構造が複雑であるばかりでなく、部品の数量もわりに多い。しかも、第一入力電圧ＶＡ又は第二入力電圧ＶＢは、ダイオードＱ３３又はＱ４４を通じて出力するため、ダイオードＤ３３、Ｄ４４での電圧損失が発生し、上記電圧損失及びダイオード自身の温度の影響を受け易い特性が放電ランプの光調節の精度に影響を与える。又、入力信号Ｖｉｎにおける妨害に抵抗する能力が弱いため、入力信号Ｖｉｎはノイズの影響を受け易く、従って出力電圧がＶＡとＶＢとの間で繰り返して変動し、その結果、二種の異なる光調節モードが繰り返して動作することになる。
【発明の開示】
【発明が解決しようとする課題】
【０００６】
本発明の第一目的は、前記課題を解決し、電圧補償機能と比較機能とを一体に整合し、より高い信頼性を持つ光調節モード選択回路を提供することである。
【０００７】
本発明の第二目的は、前記課題を解決し、電圧補償機能と比較機能を一体に整合し、より高い信頼性を持つ放電ランプ駆動装置を提供することである。
【課題を解決するための手段】
【０００８】
前記第一目的を達成するため、本発明に係る光調節モード選択回路は、入力信号によって第一入力電圧又は第二入力電圧を選択するために用いられ、前記光調節モード選択回路は、切換回路及び補償回路を備える。前記切換回路は、前記入力信号によって第一入力電圧又は第二入力電圧を選択するために用いられる。前記補償回路は、前記切換回路に接続され、前記第一入力電圧又は第二入力電圧の光調節モード選択回路での電圧損失を補償し、且つ補償した後の第一入力電圧又は第二入力電圧を出力することに用いられる。
【０００９】
前記技術対策をいっそう改善して、前記光調節モード選択回路は、ヒステリシス回路をさらに備え、該ヒステリシス回路は、前記切換回路に接続され、前記入力信号を受け、且つ前記入力信号を安定な入力信号に変換して前記切換回路に出力する。前記ヒステリシス回路は、入力信号の妨害に抵抗する能力を高め、光調節モード選択回路の出力の信頼性を増加する。
【００１０】
前記第二目的を達成するため、本発明に係る放電ランプ駆動装置は、複数のランプを備えるランプ群を駆動することに用いられ、変換回路と、駆動切換回路と、変圧回路と、パルス幅変調（Ｐｕｌｓｅ  Ｗｉｄｔｈ  Ｍｏｄｕｌａｔｉｏｎ，ＰＷＭ）コントローラー及び光調節モード選択回路を備える。前記変換回路は、受信した信号を直流信号に変換するために用いられる。前記駆動切換回路は、前記変換回路に接続されており、前記直流信号を交流信号に変換するために用いられる。前記変圧回路は、前記駆動切換回路と前記ランプ群との間に接続されており、前記交流信号を他の交流信号に変換するために用いられる。前記ＰＷＭコントローラーは、前記駆動切換回路に接続されており、前記駆動切換回路の出力を制御するために用いられる。前記光調節モード選択回路は、前記ＰＷＭコントローラーに接続されており、入力信号によって第一入力電圧又は第二入力電圧を選択するために用いられ、切換回路及び補償回路を備える。前記切換回路は、入力信号によって第一入力電圧又は第二入力電圧を選択するために用いられる。前記補償回路は、前記切換回路に接続され、前記第一入力電圧又は第二入力電圧の光調節モード選択回路での電圧損失を補償し、且つ補償した後の第一入力電圧又は第二入力電圧を出力するために用いられる。
【発明の効果】
【００１１】
本発明は、ヒステリシス回路と補償回路とを組み合わせた光調節モード選択回路を採用し、安定な入力信号及びより高い信頼性を持つ出力信号を生じ、且つ回路の構造も簡単である。
【発明を実施するための最良の形態】
【００１２】
図２は、本発明の第１の実施形態の放電ランプ駆動装置の構成を示すブロック図である。前記放電ランプ駆動装置は、変換回路２０と、駆動切換回路２１と、変圧回路２２と、ランプ群２３と、フィードバック回路２４と、ＰＷＭコントローラー２６と、光調節モード選択回路２５と、を備える。前記ランプ群２３は、複数のランプを備える。前記変換回路２０は、受信した信号を直流信号に変換するために用いられる。前記駆動切換回路２１は、前記変換回路２０に接続されており、前記直流信号を交流信号に変換するために用いられる。前記変圧回路２２は、前記駆動切換回路２１と前記ランプ群２３との間に接続されており、前記交流信号を他の交流信号に変換して前記ランプ群２３に出力するために用いられる。本実施形態において、前記駆動切換回路２１が出力する交流信号は、矩形波信号であって、前記変圧回路２２が出力する交流信号は、正弦波信号である。前記フィードバック回路２４は、前記ランプ群２３とＰＷＭコントローラー２６との間に接続されており、該ランプ群２３を経て流れる電流を前記ＰＷＭコントローラー２６にフィードバックするために用いられる。前記ＰＷＭコントローラー２６は、前記フィードバック回路２４と駆動切換回路２１との間に接続されており、駆動切換回路２１の出力を制御するために用いられる。
【００１３】
前記光調節モード選択回路２５は、前記ＰＷＭコントローラー２６に接続されており、受信した入力信号Ｖｉｎによって、第一入力電圧ＶＡと第二入力電圧ＶＢとから一つの電圧を選択してＰＷＭコントローラー２６に出力する。前記ＰＷＭコントローラー２６は、前記フィードバック回路２４と光調節モード選択回路２５の出力によって、前記駆動切換回路２１にその出力を制御するための制御信号を出力し、従って前記ランプ群２３を経て流れる電流の大きさを制御し、ランプ群２３の輝度を調節することができる。本実施形態において、入力信号Ｖｉｎは、不安定な高い論理電位レベル又は低い論理電位レベルの電圧信号である。その中、高い電位レベルは、２〜５Ｖの電圧信号であって、低い電位レベルは、０〜０．８Ｖの電圧信号である。前記第一入力電圧ＶＡと第二入力電圧ＶＢは、二種の異なる光調節モードの電圧入力信号であって、即ち第一入力電圧ＶＡは、外部光調節モードの入力電圧であって、第二入力電圧ＶＢは、内部光調節モードの入力電圧である。
【００１４】
図３は、本発明の第２の実施形態の放電ランプ駆動装置の構成を示すブロック図である。該放電ランプ駆動装置は、図２に示す放電ランプ駆動装置と基本的に同じであるが、以下の点で異なっている。すなわち、図３に示すフィードバック回路２４は、変圧回路２２とＰＷＭコントローラー２６との間に接続されており、同様に、ランプ群２３を経て流れる電流を前記ＰＷＭコントローラー２６にフィードバックするために用いられる。
【００１５】
図４は、本発明の図２及び図３に示す光調節モード選択回路２５のブロック図である。該光調節選択回路２５は、ヒステリシス回路２５０と、切換回路２５１と、補償回路２５２と、を備える。前記ヒステリシス回路２５０は、入力信号Ｖｉｎを受信し、該入力信号Ｖｉｎと一定の閾値と比較してから、安定な低い論理電位レベル又は高い論理レベルの電圧信号を出力する。前記切換回路２５１は、前記ヒステリシス回路２５０に接続されており、ヒステリシス回路２５０が出力した安定な電圧信号によって第一入力電圧ＶＡ又は第二入力電圧ＶＢを選択し、即ち外部光調節モード又は内部光調節モードを選択する。補償回路２５２は、前記切換回路２５１に接続されており、第一入力電圧ＶＡ又は第二入力電圧ＶＢが光調節モード選択回路２５での電圧損失を補償するために用いられる。その中、補償回路２５２が補償する電圧損失は二つの部分を含み、一部分は、電子素子自身の電圧損失であって、他の一部分は、環境温度の変化がもたらした電子素子の電圧損失である。本実施形態において、第一入力電圧ＶＡは、外部光調節モードの入力電圧に対応し、第二入力電圧ＶＢは、内部光調節モードの入力電圧に対応するように構成される。
【００１６】
図５は、本発明の図４に示す光調節モード選択回路２５の具体的な回路図である。前記ヒステリシス回路２５０は、電圧源Ｖｃｃと、過電圧保護ダイオードＤ１と、比較器Ａ１と、第一抵抗Ｒ１と、第二抵抗Ｒ２と、第三抵抗Ｒ３と、第四抵抗Ｒ４と、を備える。その中で、比較器Ａ１は、五つのピンを備え、それぞれ、第一ピン、第二ピン、第三ピン、第四ピン及び第五ピンである。前記第一抵抗Ｒ１は、電圧源Ｖｃｃと比較器Ａ１の第一ピンとの間に接続されており、前記第二抵抗Ｒ２は、前記第一ピンと接地電圧との間に接続される。前記第四抵抗Ｒ４は、分圧抵抗であって、一端がヒステリシス回路２５０の入力端として入力信号Ｖｉｎを受信し、他端が比較器Ａ１の第二ピンに接続されており、前記入力信号Ｖｉｎに対して分圧を行い、前記比較器Ａ１の入力電圧が高すぎることを防止するために用いられる。前記比較器Ａ１の第三ピンが前記電圧源Ｖｃｃに接続されており、前記比較器Ａ１の第四ピンが接地される。前記第三抵抗Ｒ３は、比較器Ａ１の第一ピンと第五ピンとの間に接続されており、且つ比較器Ａ１の第五ピンは、前記ヒステリシス回路２５０の出力端として使用される。前記過電圧保護ダイオードＤ１の陽極は、前記比較器Ａ１の第二ピンに接続されており、その陰極は、電圧源Ｖｃｃに接続されており、前記比較器Ａ１の入力電圧を保護するために用いられ、同様に前記比較器Ａ１の第二ピンに高すぎる電圧が印加されることを防止することができる。
【００１７】
本実施形態において、第一抵抗Ｒ１と第二抵抗Ｒ２とが分圧回路を構成し、前記比較器Ａ１の第一ピンに入力した電圧に対して分圧する。又、比較器Ａ１の基本特性によって、第一臨界電圧値と第二臨界電圧値とを形成することができる。本実施形態において、第一臨界電圧値が高臨界電圧値であって、第二臨界電圧値が低臨界電圧値であって、即ち、第一臨界電圧値は第二臨界電圧値より大きく、且つ第一臨界電圧値と第二臨界電圧値との差は、ヒステリシス電圧値である。注意しなければならないのは、第一臨界電圧値と第二臨界電圧値との大きさは、第一抵抗Ｒ１と、第二抵抗Ｒ２と、第三抵抗Ｒ３と、電圧源Ｖｃｃと、比較器Ａ１の出力端電圧の大きさによって決める。
【００１８】
前記入力信号Ｖｉｎが低い電位レベルから高い電位レベルに変化する時、もし入力信号Ｖｉｎが第一臨界電圧値より小さければ、前記比較器Ａ１は、高い電位レベルを出力し；もし入力信号Ｖｉｎが第一臨界電圧値より大きければ、前記比較器Ａ１の出力は、高い電位レベルから低い電位レベルまで変動する。それから入力信号Ｖｉｎが増加し続けても、比較器Ａ１の出力は前記低い電位レベルを維持する。
【００１９】
前記入力信号Ｖｉｎが高い電位レベルから低い電位レベルに変化する時、もし入力信号Ｖｉｎが第二臨界電圧値より大きければ、前記比較器Ａ１は、低い電位レベルを出力し；もし入力信号Ｖｉｎが第二臨界電圧値より小さければ、前記比較器Ａ１の出力は、低い電位レベルから高い電位レベルまで変動する。それから入力信号Ｖｉｎが減少し続けても、比較器Ａ１の出力は前記高い電位レベルを維持する。
【００２０】
前記入力信号Ｖｉｎがヒステリシス電圧値範囲内で変化する限り、比較器Ａ１の出力は、高い電位レベルと低い電位レベルとの間で繰り返して変動せず、安定する。従って、前記ヒステリシス回路２５０は、前記切換回路２５１に安定な高い電位レベル又は低い電位レベルを出力する。
【００２１】
前記切換回路２５１は、絶縁ダイオードＤ２と、第一ＮＰＮトランジスターＱ１（以下は、トランジスターＱ１と簡略する）と、第五抵抗Ｒ５と、第六抵抗Ｒ６と、を備える。前記絶縁ダイオードＤ２の陽極は、前記第一入力電圧ＶＡに接続されており、その陰極は、前記比較器Ａ１の出力端に接続されており、電流がヒステリシス回路２５０に逆流されることを防止する。前記第五抵抗Ｒ５、第六抵抗Ｒ６及びトランジスターＱ１は、デジタル・トランジスター（ｄｉｇｉｔａｌ  ｔｒａｎｓｉｓｔｏｒ）を構成し、それは、入力端、第一出力端及び第二出力端を備える。前記第五抵抗Ｒ５の一端は、前記デジタル・トランジスターの入力端として、前記比較器Ａ１の出力端に接続されており、その他端は、前記トランジスターＱ１のベースに接続される。前記トランジスターＱ１のコレクタは、デジタル・トランジスターの第一出力端として、前記第二入力電圧ＶＢに接続されており、そのエミッタは、デジタル・トランジスターの第二出力端として接地する。前記第六抵抗Ｒ６は、トランジスターＱ１のベースとエミッタとの間に接続される。前記デジタル・トランジスターは、入力インピーダンスが大きく、出力インピーダンスが小さい特性を持つため、フロント・エンド回路に対する影響が小さいばかりでなく、バック・エンド回路の駆動能力を強めることができる。
【００２２】
本実施形態において、前記切換回路２５１がヒステリシス回路２５０から出力する高い電位レベル信号を受信する時、ダイオードＤ２がターン・オフされ、トランジスターＱ１がターン・オンされ、前記第二入力電圧ＶＢは、トランジスターＱ１によって接地され、且つトランジスターＱ１に作動電圧を提供する。従って、前記第一入力電圧ＶＡが前記補償回路２５２に出力される。前記切換回路２５１がヒステリシス回路２５０から出力される０Ｖである低い電位レベル信号を受信する時、ダイオードＤ２がターン・オンされ、トランジスターＱ１がターン・オフされ、前記第一入力電圧ＶＡは、ダイオードＤ２によって、比較器Ａ１の出力端に接続される。従って、前記第二入力電圧ＶＢが前記補償回路２５２に出力される。
【００２３】
前記補償回路２５２は、電圧源Ｖｃｃと、第七抵抗Ｒ７と、限流抵抗Ｒ８と、第二ＮＰＮトランジスターＱ２（以下は、トランジスターＱ２と簡略する）と、第三ＮＰＮトランジスターＱ３（以下は、トランジスターＱ３と簡略する）と、ＰＮＰトランジスターＱ４（以下は、トランジスターＱ４と簡略する）と、を備える。前記トランジスターＱ４のエミッタは、前記補償回路２５２の出力端として使用される。前記トランジスターＱ２のベースは、前記第一入力電圧ＶＡに接続されており、そのエミッタは、前記トランジスターＱ４のベースに接続されており、且つそのコレクタは、前記電圧源Ｖｃｃに接続される。前記トランジスターＱ３のベースは、前記第二入力電圧ＶＢに接続されており、そのエミッタは、前記トランジスターＱ４のベースに接続されており、且つそのコレクタは、前記トランジスターＱ２のコレクタに接続される。前記第七抵抗Ｒ７は、前記電圧源ＶｃｃとトランジスターＱ４のエミッタとの間に接続されており、前記補償回路２５２の出力を保護するために用いられる。前記限流抵抗Ｒ８は、前記トランジスターＱ４のベースとコレクタとの間に接続されており、トランジスターＱ４を保護するために用いられる。
【００２４】
本実施形態において、前記第一入力電圧ＶＡは、前記トランジスターＱ２及びＱ４を通して、ＰＷＭコントローラー２６に出力される。しかし、トランジスターＱ２のベースとエミッタとの間に、約０．７Ｖの圧力損失が存在し、例えば、第一入力電圧ＶＡが５Ｖである時、トランジスターＱ２のエミッタ電圧は、４．３Ｖになる。前記トランジスターＱ４とトランジスターＱ２は、相補的な一対のトランジスターであり、前記トランジスターＱ４のベースとエミッタとの電圧差は−０．７Ｖである。従って、第一入力電圧ＶＡが前記トランジスターＱ２とトランジスターＱ４とを通して出力される電圧の大きさは、依然として５Ｖであって、変化が発生せず、即ち、前記第一入力電圧ＶＡは、何ら電圧損失がない状態で出力される。同様に、前記第二入力電圧ＶＢは、前記トランジスターＱ３とトランジスターＱ４とを通してＰＷＭコントローラー２６に出力され、前記トランジスターＱ３のベースとエミッタとの間にも約０．７Ｖの圧力損失が存在する。前記トランジスターＱ３とトランジスターＱ４も、相補的な一対のトランジスターを構成するため、前記トランジスターＱ４は、前記第二入力電圧ＶＢのトランジスターＱ３での圧力損失を補償することに用いられる。従って、前記第二入力電圧ＶＢが前記トランジスターＱ３とトランジスターＱ４とを通して出力される電圧の大きさも、何ら変化がなく、即ち、前記第二入力電圧ＶＢは、何ら電圧損失がない状態で出力される。
【００２５】
又、トランジスター自身は、温度の影響を受けやすく、そのため、ベースとエミッタとの間の圧力損失は、周囲環境温度の変化に従って変化し、即ち、その圧力損失０．７Ｖは、温度の変化に従って変化する。本実施形態において、トランジスターＱ４、Ｑ２又はトランジスターＱ４、Ｑ３が互いに相補回路を構成し、即ち、環境温度が変化すると、トランジスターＱ４のベースとエミッタとの間の電位差が変化する。従って、トランジスターＱ４は、トランジスターＱ２又はトランジスターＱ３での温度変化による電圧損失を補償することができ、回路が温度の影響を受けないようにする。本実施形態において、光調節モード選択回路２５の出力信号Ｖｏｕｔは、選択された第一入力電圧ＶＡ又は第二入力電圧ＶＢである。
【００２６】
本実施形態において、入力信号Ｖｉｎが安定でない低い電位レベルである時、ヒステリシス回路２５０は、切換回路２５１に安定な高い電位レベル信号を出力し、トランジスターＱ１をターン・オンさせ、その時、第一入力電圧ＶＡは、トランジスターＱ２及びトランジスターＱ４を通してＰＷＭコントローラー２６に出力され、即ち、外部光調節モードを選択し；入力信号Ｖｉｎが安定でない高い電位レベルである時、ヒステリシス回路２５０は、切換回路２５１に安定な低い電位レベル信号を出力し、トランジスターＱ１をターン・オフさせ、その時、第二入力電圧ＶＢは、トランジスターＱ３及びトランジスターＱ４を通してＰＷＭコントローラー２６に出力され、即ち、内部光調節モードを選択する。
【図面の簡単な説明】
【００２７】
【図１】従来の光調節モード選択回路の回路図である。
【図２】本発明の第１の実施形態の放電ランプ駆動装置の構成を示すブロック図である。
【図３】本発明の他の実施形態の放電ランプ駆動装置の構成を示すブロック図である。
【図４】本発明の光調節モード選択回路のブロック図である。
【図５】図４に示す光調節モード選択回路の具体的な回路図である。
【符号の説明】
【００２８】
２０  変換回路
２１  駆動切換回路
２２  変圧回路
２３  ランプ群
２４  フィードバック回路
２５  光調節モード選択回路
２６  ＰＷＭコントローラー
２５０  ヒステリシス回路
２５１  切換回路
２５２  補償回路
Ｑ１、Ｑ２、Ｑ３、Ｑ４  トランジスター
Ｒ１、Ｒ２、Ｒ３、Ｒ４、Ｒ５、Ｒ６、Ｒ７、Ｒ８  抵抗
Ｄ１、Ｄ２  ダイオード
Ａ１  比較器
【図１】
2007200889.tif 000003
【図２】
2007200889.tif 000004
【図３】
2007200889.tif 000005
【図４】
2007200889.tif 000006
【図５】
2007200889.tif 000007